【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
陰極と、前記陰極から放射される電子が衝突することによりＸ線を発生し、前記電子が衝突するときに生じる熱を放熱するために回転する陽極と、前記陰極と前記陽極とを真空雰囲気に保持する外囲器と、を有する回転陽極型Ｘ線管装置であって、
前記陽極は、回転側である軸受回転体と、固定側である固定軸とを有し、
前記軸受回転体と前記固定軸の間に液体金属が充填されており、
前記軸受回転体と前記固定軸の間の前記真空雰囲気との境界部であって、前記軸受回転体の表面と前記固定軸の表面の一部に、微小な凸部が隙間なく多数設けられ、前記液体金属をはじく撥液表面を形成したことを特徴とする回転陽極型Ｘ線管装置。
【請求項２】
請求項１に記載の回転陽極型Ｘ線管装置において、
前記液体金属はガリウム／インジウム／スズの合金からなり、
前記境界部には、露点が１０℃以上４０℃以下のＷｅｔ水素雰囲気中においてクロムを含有する鉄系合金に前記鉄系合金の焼鈍し温度以上で熱処理を施した部材が用いられ、
前記境界部以外の前記軸受回転体の表面と前記固定軸の表面には、前記撥液表面が設けられないことを特徴とする回転陽極型Ｘ線管装置。
【請求項３】
請求項２に記載の回転陽極型Ｘ線管装置において、
前記境界部に用いられる部材は、前記境界部以外の部分とは別部品として構成され、前記部材のみに前記熱処理が施されることを特徴とする回転陽極型Ｘ線管装置。
【請求項４】
請求項２に記載の回転陽極型Ｘ線管装置において、
前記軸受回転体と前記固定軸とに前記熱処理を施した後、前記境界部以外の部分には前記凸部を除去する処理が施されることを特徴とする回転陽極型Ｘ線管装置。
【請求項５】
請求項２に記載の回転陽極型Ｘ線管装置において、
前記軸受回転体と前記固定軸とに前記熱処理を施した後、前記境界部以外の部分には前記液体金属との濡れ性の良い金属薄膜が形成されることを特徴とする回転陽極型Ｘ線管装置。
【手続補正２】
【補正対象書類名】明細書
【補正対象項目名】００１０
【補正方法】変更
【補正の内容】
【００１０】
本発明の目的を達成するために、本発明に係る回転陽極型X線管装置は、陰極と該陰極に対向する陽極を有し、前記陰極から放出さる熱電子を前記陽極表面に衝突させてＸ線を発生するものであって、前記陽極を回転させて前記電子衝突時の前記陽極表面に発生する熱を放熱する回転機構を備え、
前記回転機構は、前記陽極と締結されており軸受回転体を設けた陽極回転軸と、前記陽極回転軸を前記軸受回転体で保持する固定軸と、前記陰極と前記陽極を真空気密して絶縁を保つ外囲器と、前記外囲器の周囲に設けられ前記回転機構を回転させるために回転磁界を発生させるコイルとからなり，
前記回転軸または前記固定軸のいずれか一方を有底円筒構造となし、
前記軸受回転体と前記固定軸との間に潤滑材を充填し、前記陽極回転軸の回転時に前記潤滑材に生じる動圧によって前記軸受回転体と前記固定軸に一定の隙間を保つＸ線管装置において，
前記潤滑材としてガリウム／インジウム／スズの合金からなる液体金属を用い，
前記軸受回転体と前記固定軸との間の真空内との境界部の前記軸受回転体の表面と前記固定軸の表面の一部に微小な凸部を隙間がない状態で多数設けて撥液性を有した表面を形成して構成したことを特徴としている。
【手続補正３】
【補正対象書類名】明細書
【補正対象項目名】００１１
【補正方法】変更
【補正の内容】
【００１１】
本発明の目的を達成するために、本発明に係る回転陽極型X線管装置は、陰極と該陰極に対向する陽極を有し、前記陰極から放出さる熱電子を前記陽極表面に衝突させてＸ線を発生するものであって、前記陽極を回転させて前記電子衝突時の前記陽極表面に発生する熱を放熱する回転機構を備え、
前記回転機構は、前記陽極と締結されており軸受回転体を設けた陽極回転軸と、前記陽極回転軸を前記軸受回転体で保持する固定軸と、前記陰極と前記陽極を真空気密して絶縁を保つ外囲器と、前記外囲器の周囲に設けられ前記回転機構を回転させるために回転磁界を発生させるコイルとからなり，
前記回転軸または前記固定軸のいずれか一方を有底円筒構造となし、
前記軸受回転体と前記固定軸との間に潤滑材を充填し、前記陽極回転軸の回転時に前記潤滑材に生じる動圧によって前記軸受回転体と前記固定軸に一定の隙間を保つＸ線管装置において，
前記潤滑材としてガリウム／インジウム／スズの合金からなる液体金属を用い，
前記軸受回転体と前記固定軸との間の真空内との境界部の前記軸受回転体の表面を、クロムを含有した鉄系金属に、露点が１０℃以上、４０℃以下のＷｅｔ水素雰囲気で、軸受部品材料の焼鈍し温度または固溶化温度より高温で熱処理して形成したことを特徴としている。
【手続補正４】
【補正対象書類名】明細書
【補正対象項目名】００１２
【補正方法】変更
【補正の内容】
【００１２】
本発明の目的を達成するために、本発明に係る回転陽極型X線管装置は、陰極と該陰極に対向する陽極を有し、前記陰極から放出さる熱電子を前記陽極表面に衝突させてＸ線を発生するものであって、前記陽極を回転させて前記電子衝突時の前記陽極表面に発生する熱を放熱する回転機構を備え、
前記回転機構は、前記陽極と締結されており軸受回転体を設けた陽極回転軸と、前記陽極回転軸を前記軸受回転体で保持する固定軸と、前記陰極と前記陽極を真空気密して絶縁を保つ外囲器と、前記外囲器の周囲に設けられ前記回転機構を回転させるために回転磁界を発生させるコイルとからなり，
前記回転軸または前記固定軸のいずれか一方を有底円筒構造となし、
前記軸受回転体と前記固定軸との間に潤滑材を充填し、前記陽極回転軸の回転時に前記潤滑材に生じる動圧によって前記軸受回転体と前記固定軸に一定の隙間を保つＸ線管装置において，
前記潤滑材としてガリウム／インジウム／スズの合金からなる液体金属を用い，
前記軸受回転体と前記固定軸との間の真空内との境界部の前記軸受回転体の表面を，クロムを含有した鉄系金属に、露点が１０℃以上、４０℃以下のＷｅｔ水素雰囲気で、軸受部品材料の焼鈍し温度または固溶化温度より高温で熱処理して形成したリング状部品を取り付けて、撥液表面を形成したことを特徴としている。
【手続補正５】
【補正対象書類名】明細書
【補正対象項目名】００１３
【補正方法】変更
【補正の内容】
【００１３】
本発明の目的を達成するために、本発明に係る回転陽極型X線管装置は、陰極と該陰極に対向する陽極を有し、前記陰極から放出さる熱電子を前記陽極表面に衝突させてＸ線を発生するものであって、前記陽極を回転させて前記電子衝突時の前記陽極表面に発生する熱を放熱する回転機構を備え、
前記回転機構は、前記陽極と締結されており軸受回転体を設けた陽極回転軸と、前記陽極回転軸を前記軸受回転体で保持する固定軸と、前記陰極と前記陽極を真空気密して絶縁を保つ外囲器と、前記外囲器の周囲に設けられ前記回転機構を回転させるために回転磁界を発生させるコイルとからなり，
前記回転軸または前記固定軸のいずれか一方を有底円筒構造となし、
前記軸受回転体と前記固定軸との間に潤滑材を充填し、前記陽極回転軸の回転時に前記潤滑材に生じる動圧によって前記軸受回転体と前記固定軸に一定の隙間を保つＸ線管装置において，
前記潤滑材としてガリウム／インジウム／スズの合金からなる液体金属を用い，
前記軸受回転体と前記固定軸の表面全体に微小な凸部を多数設けて撥液性を有した表面を形成し、しかる後、液体金属とよく濡れることが望ましい範囲について前記撥液表面を除去して形成したことを特徴としている。
【手続補正６】
【補正対象書類名】明細書
【補正対象項目名】００１４
【補正方法】変更
【補正の内容】
【００１４】
本発明の目的を達成するために、本発明に係る回転陽極型X線管装置は、陰極と該陰極に対向する陽極を有し、前記陰極から放出さる熱電子を前記陽極表面に衝突させてＸ線を発生するものであって、前記陽極を回転させて前記電子衝突時の前記陽極表面に発生する熱を放熱する回転機構を備え、
前記回転機構は、前記陽極と締結されており軸受回転体を設けた陽極回転軸と、前記陽極回転軸を前記軸受回転体で保持する固定軸と、前記陰極と前記陽極を真空気密して絶縁を保つ外囲器と、前記外囲器の周囲に設けられ前記回転機構を回転させるために回転磁界を発生させるコイルとからなり，
前記回転軸または前記固定軸のいずれか一方を有底円筒構造となし、
前記軸受回転体と前記固定軸との間に潤滑材を充填し、前記陽極回転軸の回転時に前記潤滑材に生じる動圧によって前記軸受回転体と前記固定軸に一定の隙間を保つＸ線管装置において，
前記潤滑材としてガリウム／インジウム／スズの合金からなる液体金属を用い，
前記軸受回転体と前記固定軸の表面全体に微小な凸部を多数設けて撥液性を有した表面を形成し、しかる後、液体金属とよく濡れることが望ましい範囲について前記撥液表面にＮｉ，Ａｕ、Ｃｕのいずれかの金属被膜を形成したことを特徴としている。